(57)【要約】      （修正有）【課題】積み重ね作業が容易で、積み重ね状態が安定し、パネル変形も起こり難く、高齢作業員が現場作業をスムーズに進行できる軽量化された防音パネルを提供する。【解決手段】枠体の係止部が、正面側の受け面２１Ｌに設けられた係止用凸条部２３Ｌ、および外側の係止用角縁部２５Ｌと、背面側の係止用凹条部３７Ｕ、および係止用段差部３９Ｕとで構成されており、上側の防音パネルの載せ面４１Ｕ、４３Ｕが下側の防音パネルの受け面２１Ｌに載せられると、凹条部３７Ｕに凸条部２３Ｌが入り込むと共に、段差部３９Ｕに角縁部２５Ｌが収まって、上下の防音パネルが平面方向に移動不能に係止される。また、枠体をマグネシウム材で形成した。【選択図】図５
2016044458.tif 000002
【特許請求の範囲】
【請求項１】
略矩形状のパネル本体の縁部に枠体が取り付けられた防音パネルにおいて、
前記枠体は、前記パネル本体の縁部を挟持する挟持枠部と、前記挟持枠部に連設された係止部とを備え、
前記係止部は、
前記挟持枠部の正面側の受け面に設けられた、正面方向に向かって突出する係止用凸条部、および外側の係止用角縁部と、
前記挟持枠部の背面側に設けられた、背面側に凹む係止用凹条部と、前記係止用凹条部の外側縁部の一段上げにより形成された係止用段差部とで構成されており、
複数枚の防音パネルを平積みする際に、上側の防音パネルが下側の防音パネルの受け面に載せられると、前記凹条部に前記凸条部が入り込むと共に、前記段差部に前記角縁部が収まって、上下の防音パネルが平面方向に移動不能に係止されることを特徴とする防音パネル。
【請求項２】
請求項１に記載した防音パネルにおいて、
係止用凹条部は係止用凸条部より大きく形成されており、平積みする際には、前記凸条部の内側面側が前記凹条部内で係止されることを特徴とする防音パネル。
【請求項３】
請求項１または２に記載した防音パネルにおいて、
挟持枠部の外壁部の上端からは背面側に向かって傾斜して拡がる連続したガイド面が形成されると共に、前記ガイド面の背面側には位置決め枠部が連設され、前記位置決め枠部の開口縁部の内面が前記ガイド面に対応した傾斜の当接面になっており、
平積みする際には、背面側にくる別の防音パネルの前記ガイド面に前記当接面が外側から被さって摺動可能に傾斜当接することを特徴とする防音パネル。
【請求項４】
請求項３に記載した防音パネルにおいて、
挟持枠部と位置決め枠部との間にスペーサ枠部が設けられており、前記スペーサ枠部の背面側を利用して係止用凹条部と係止用段差部とが形成されていることを特徴とする防音パネル。
【請求項５】
請求項１から４のいずれかに記載した防音パネルにおいて、
枠体がマグネシウム材で形成されていることを特徴とする防音パネル。
【発明の詳細な説明】
【技術分野】
【０００１】
本発明は防音パネルに係り、特にビル建設、解体現場などにおける騒音、建築材料や破砕片等の外部への落下、埃の飛散等を防止するために仮設される囲いを構成するための防音パネルに関するものである。
【背景技術】
【０００２】
防音パネルは、パネル本体と枠体とからなり、現場で縦横に連結して用いるようになっており、枠体を含んでも略平板状であることから、現場へ運搬するときや仮置きするときには、平積みに積み重ねておくことが多い。
而して、平積みの際には、下側の防音パネルの枠体と上側の防音パネルの枠体どうしが接触して積み重ねられているが、積み重ね作業がし易く、更には、運搬中や仮置き中に荷崩れしたり破損したりしないよう、枠体には、従来から種々の工夫が提案されている。
【０００３】
例えば、特許文献１には、枠体の外枠面を傾斜面とし、さらに、背面側にコの字状に外方に張り出した延出部を設け、その対向する二面側をそれぞれ受け部、載せ部とし、下側の防音パネルの受け部に上側の防音パネルの載せ部が当接するようになっている。この枠体を利用すれば、傾斜構造の採用により積み重ね作業中の上側の防音パネルに対する下側の防音パネルの相対的な嵌入が容易で、平積み中にもズレ難く安定していると教示されている。
【先行技術文献】
【特許文献】
【０００４】
【特許文献１】特開２００９−１２７３６４号公報
【発明の概要】
【発明が解決しようとする課題】
【０００５】
しかしながら、上側の防音パネルは、自らの載せ部を下側の防音パネルの受け部に載せているだけであり、その部位の当接に頼って持上げ支持されているので、平積み期間が長くなると、パネル本体が自重により撓み易くなる。
また、従来、枠体はアルミニウム材で形成されていたが、最近では、現場作業者の高齢化に伴い、防音パネルの軽量化が強く要求されていることや、アルミニウム材より軽量なマグネシウム材が容易に入手できるようになったことから、マグネシウム材の積極的な活用が期待されているが、マグネシウム材の強度はアルミニウム材より劣ることから、既存の設計の枠体をマグネシウム材で形成すると、パネル本体が大きく撓む可能性がある。
本発明は上記従来の問題点に着目して為されたものであり、積み重ね作業が容易で、その後の積み重ね状態が安定し、更には、パネル変形も起こり難い、新規且つ有用な防音パネルを提供することを、その目的とする。
【課題を解決するための手段】
【０００６】
本発明は上記課題を解決するために為されたものであり、請求項１の発明は、略矩形状のパネル本体の縁部に枠体が取り付けられた防音パネルにおいて、前記枠体は、前記パネル本体の縁部を挟持する挟持枠部と、前記挟持枠部に連設された係止部とを備え、前記係止部は、前記挟持枠部の正面側の受け面に設けられた、正面方向に向かって突出する係止用凸条部、および外側の係止用角縁部と、前記挟持枠部の背面側に設けられた、背面側に凹む係止用凹条部と、前記係止用凹条部の外側縁部の一段上げにより形成された係止用段差部とで構成されており、複数枚の防音パネルを平積みする際に、上側の防音パネルが下側の防音パネルの受け面に載せられると、前記凹条部に前記凸条部が入り込むと共に、前記段差部に前記角縁部が収まって、上下の防音パネルが平面方向に移動不能に係止されることを特徴とする防音パネルである。
【０００７】
請求項２の発明は、請求項１に記載した防音パネルにおいて、係止用凹条部は係止用凸条部より大きく形成されており、平積みする際には、前記凸条部の内側面側が前記凹条部内で係止されることを特徴とする防音パネルである。
【０００８】
請求項３の発明は、請求項１または２に記載した防音パネルにおいて、挟持枠部の外壁部の上端からは背面側に向かって傾斜して拡がる連続したガイド面が形成されると共に、前記ガイド面の背面側には位置決め枠部が連設され、前記位置決め枠部の開口縁部の内面が前記ガイド面に対応した傾斜の当接面になっており、平積みする際には、背面側にくる別の防音パネルの前記ガイド面に前記当接面が外側から被さって摺動可能に傾斜当接することを特徴とする防音パネルである。
【０００９】
請求項４の発明は、請求項３に記載した防音パネルにおいて、挟持枠部と位置決め枠部との間にスペーサ枠部が設けられており、前記スペーサ枠部の背面側を利用して係止用凹条部と係止用段差部とが形成されていることを特徴とする防音パネルである。
【００１０】
請求項５の発明は、請求項１から４のいずれかに記載した防音パネルにおいて、
枠体がマグネシウム材で形成されていることを特徴とする防音パネルである。
【発明の効果】
【００１１】
本発明の防音パネルによれば、積み重ね作業が容易で、積み重ね状態も安定する。更に、パネル変形も起こり難い。
マグネシウム材で枠体を形成すれば、軽量化の利点を最大限生かせるので、現場作業が楽となる。
【図面の簡単な説明】
【００１２】
【図１】本発明の実施の形態に係る防音パネルの斜視図である。
【図２】図１の防音パネルを複数枚平積みした状態を示す斜視図である。
【図３】図１の防音パネルの枠体の斜視図である。
【図４】図３の枠体の断面図である。
【図５】図１の防音パネルの平積み状態を示す断面図である。
【図６】図５の積み重ね途中の状態を示す断面図である。
【発明を実施するための形態】
【００１３】
本発明の実施の形態に係る防音パネル１を図面にしたがって説明する。
図１に示すように、防音パネル１は、長方形状の扁平なパネル本体３と、その４つの辺縁部５に取り付ける枠体７とで構成されている。
特に限定されないが、パネル本体３は、金属、合成樹脂等を素材とする。枠体７は、マグネシウム、アルミ合金などの軽金属、合成樹脂等を素材としたものが一般的となっているが、この実施の形態では、マグネシウム材を素材として利用している。
複数の防音パネル１を平積みで積み重ねると、図２に示すようになり、防音パネル１の正面側が上に来て、背面側が下に来る。
【００１４】
枠体７は、図３に示す直状の枠部材９を組み合わせて枠状にしたものである。枠部材９は、押出し成形により形成されたものであり、長手方向のどこでも断面構造が同じになっているが、長いものと短いものがあり、パネル本体３の辺縁部５のうち長辺側には枠部材９のうち長い方が取り付けられ、短辺側には短い方が取り付けられている。
【００１５】
図４は、枠部材９の断面構造を詳細に示したものである。
符号１１は挟持枠部を示し、この挟持枠部１１は、背面側に傾斜して拡がる外壁部１３を備えている。この外壁部１３の外面がガイド面１５になっている。
この外壁部１３の上端からはプレート状の上側挟持部１７が内方に向かって一定長さだけ延び出ている。上側挟持部１７の先端は傾斜しており、正面側の縁が背面側の縁より後退している。下端からも同じように下側挟持部１９が内方に向かって延び出ており、その先端は上側挟持部１７よりも若干後退した位置にある。
挟持枠部１１は上記した構成により、上側挟持部１７と下側挟持部１９との間に空間部ができており、この空間部は内方側が開放されているので、そこからパネル本体３の辺縁部５に外嵌させて挟持するようになっている。
【００１６】
上側挟持部１７の正面側の平らな水平面は受け面２１になっており、正面方向に向かって突出する断面が略台形の係止用凸条部２３が内縁寄りに設けられている。この凸条部２３の角部には丸みが付けられている。
また、上側挟持部１７と外壁部１３との境界は、係止用角縁部２５になっており、これにも丸みが付けられている。
【００１７】
挟持枠部１１の背面側には、スペーサ枠部２７が連設されている。このスペーサ枠部２７は、複数の防音パネル１を平積みしたときに、上下にくるパネル本体３どうしが接触しないように設けられている。
スペーサ枠部２７の外壁部２９が挟持枠部１１の外壁部１３に連続している。スペーサ枠部２７の外壁部２９も、挟持枠部１１の外壁部１３と同じ方向に傾斜しているが、外壁部２９の方が、傾斜角度が若干緩やかになっており、境界は僅かに凹んでいる。この外壁部２９の外面もガイド面３１になっている。
【００１８】
また、下側挟持部１９の内側縁部からは背面方向に向かって直状に支持壁部３３が延び出ている。
支持壁部３３と上記した外壁部２９の背面側の端部との間を連結壁部３５が繋いで連結しており、それらの間は補強を兼ねた中空部となっている。この連結壁部３５は上下挟持部１７、１９と略平行に延びているが、中間部で垂直段差ができて中空部側に凹んでおり、外壁部２９とは端部側で繋がっているが、支持壁部３３とは中間で繋がっている。この凹んだ部分が係止用凹条部３７となっている。この凹条部３７は、平積みにしたときに背面側で相対する防音パネル１の凸条部２３が十分に余裕をもって入り込める深さ及び内外方向の幅を有している。
【００１９】
凹条部３７の外側縁部は一段上がって、係止用段差部３９ができている。この段差部３９の角縁部には丸みが付けられている。この段差部３９の凹面形状は、角縁部２５の凸面形状に対応する形状になっている。
段差部３９のうち平らな水平面は外側載せ面４１になっている。また、上記した支持壁部３３の端面も内側載せ面４３となっている。これら載せ面４１、４３は略同じ平面上にある。
【００２０】
スペーサ枠部２７の外壁部２９の背面側には、位置決め枠部４５が連設されている。この位置決め枠部４５は直状に背面側に延びており、内方側及び背面側が開放されており、内部が嵌入空間４７として利用されるようになっている。
その位置決め枠部４５の開口縁部の内側には当接部４９が形成されている。この当接部４９の断面は略直角三角形をして、内縁面が傾斜した摺接面５１になっており、背面端にある嵌入口側が広がっている。摺接面５１の内側角部には丸みが付けられている。
【００２１】
防音パネル１は上記した構成になっており、次に、平積み状態について、図５にしたがって説明する。
なお、図中、説明の便宜のために、下側となる下側防音パネル１については下側防音パネル１Ｌとし、各部分を指す符号にはＬを追記した。また、上側となる上側防音パネル１については上側防音パネル１Ｕとし、各部分を指す符号にはＵを追記した。
【００２２】
下側防音パネル１Ｌの挟持枠部１１Ｌ乃至スペーサ枠部２７Ｌが上側防音パネル１Ｕの嵌入空間４７Ｕに嵌入されており、下側防音パネル１Ｌの受け面２１Ｌに、上側防音パネル１Ｕの凹条部３７Ｕの内外にある載せ面４１Ｕ、４３Ｕが載せられて当接している。
凸条部２３Ｌが凹条部３７Ｕに入り込んでおり、凹条部３７Ｕの内側に位置する支持壁部３３Ｕが凸条部２３Ｌの基端部に対して内方側から当接している。また、段差部３９Ｕに角隅部２５Ｌが収まっており、段差部３９Ｕの傾斜面が角隅部２５Ｌに対して外方側から当接している。
さらに、上側防音パネル１Ｕの当接部４９Ｕの摺接面５１Ｕが下側防音パネル１Ｌのガイド外面３１Ｌに斜め方向に当接している。
【００２３】
上記したように、下側防音パネル１Ｌの上側挟持部１７Ｌに対して、上側防音パネル１Ｕの枠部材９Ｕが内方及び斜め外方から挟み込んだ状態で係止されており、上側防音パネル１Ｕの動きが規制されているので、積み重ね状態が安定し、パネル運搬時の荷崩れやそれに伴う破損が防止される。
更に、上側防音パネル１Ｕは、内方側の二つの載せ面４１、４３を利用して安定的に持上げ支持されているので、平積み期間が長くなっても撓み難くなっている。
【００２４】
次に、積み重ね作業について説明する。
上側防音パネル１Ｕを、下側防音パネル１Ｌに対して上方から大体の感覚で正対させ、そのまま降ろして下側防音パネル１Ｌに載せると、図６に示すように、上側防音パネル１Ｕの当接部４９Ｕの摺接面５１Ｕが下側防音パネル１Ｌのガイド面１５Ｌ〜ガイド面３１Ｌに対して当接し、摺動しながら自重により矢印に示すように降りていき、嵌入がスムーズに進行する。そして、所定の位置で停止すると、自動的に図５に示す係止状態が実現されている。
【００２５】
特に、凸条部２３Ｌが凹条部３７Ｕ内を移動可能になっているので、上側防音パネル１Ｕを載せる前の位置合わせは、凸条部２３Ｌが凹条部３７Ｕに入り込める程度の精度で済ませることができる。
また、摺接面５１Ｕの利用により、ガイドされながら係止状態に至るので、途中で不用意に傾いたりはしない。
積み重ね作業は、既存の消音パネルと同様に嵌入を利用しているが、上記した特徴により、既存の消音パネルの場合より格段に容易になっている。
【００２６】
さらに、枠体７をマグネシウム材で形成しているので、防音パネル１が格段に軽量になっており、高齢作業員が含まれていても、現場作業がスムーズに進行する。
【００２７】
以上、本発明の実施の形態について詳述してきたが、具体的構成は、この実施の形態に限られるものではなく、本発明の要旨を逸脱しない範囲における設計の変更などがあっても発明に含まれる。
【符号の説明】
【００２８】
１…防音パネル      ３…パネル本体      ５…辺縁部
７…枠体      ９…枠部材      
１１…挟持枠部      １３…外壁部      １５…ガイド面
１７、１９…挟持部      ２１…受け面      ２３…凸条部
２５…角縁部      
２７…スペーサ枠部      ２９…外壁部      ３１…ガイド面
３３…支持壁部      ３５…連結壁部      ３７…凹条部
３９…段差部      ４１、４３…載せ面
４５…位置決め枠部      ４７…嵌入空間
４９…当接部      ５１…摺接面
【図１】
2016044458.tif 000003
【図２】
2016044458.tif 000004
【図３】
2016044458.tif 000005
【図４】
2016044458.tif 000006
【図５】
2016044458.tif 000007
【図６】
2016044458.tif 000008